(57)【要約】      （修正有）【課題】本体に使用する生地は肌に優しく柔らかく温かく長期間に渡って装着していても、肌が変質することのない丈夫な生地を使用し、本体の処定の位置に接着した痔痛治療器具を提供する。【解決手段】  磁石２、又はプリント加工による痔痛治療器具で、本体に磁石２、又はプリント加工したものを、患部に密着出来るように配置することにより、周囲の血行を良くして筋肉のコリをほぐして、痛みや苦しみを柔らげると同時に楽に正座が出来立居振る舞や歩行時にも、又激しい運動時にも磁石、又はプリント加工が患部に密着しているので、違和感を覚える事もなくその効果がある。【選択図】図１
2008018220.tif 000002
【特許請求の範囲】
【請求項２】
磁石痔痛治療器具。出願番号２００５−１１１２３６。出願人５００２１５６３２。平成１５年１０月１０日付にて提出致しましたが、本体に使用致します生地名。特殊加工ゴム市販名ユーカスと称します、と各部署に数字を記入してありますので、生地名を変えたり各部署の数字を少し変えただけで真似をされるので不可との決論に達しました。誠に大変なお手数相掛け誠に申訳ご座いませんが。出願番号２００５−１１１２３６。全文全項目削除して下さるようにお願い申し上げる次第にご座います。尚ほ図２、の永久磁石、又はチタン、ゲルマニユーム、ケイ素などのプリント加工したものを使用致しまして、多方面に利用出来るように考慮致しまして、再提出致します。以下磁石、又はプリント加工と称します。図１、本体に使用致します生地は、肌に優しく温かく長期間に度って装着していても、肌が変質することのない丈夫な生地を使用致します。図１、の如く抜き取ります、図２、磁石、又はプリント加工、図３、革に複数の穴を空ける但しプリント加工を使用する場合は穴を空ける必要はない。
【請求項１】
磁石使用の場合、図４、は図３、の穴を空けた革に磁石を接着する。図５、は図４、の磁石を接着した底辺に更らに革を１枚接着する。図６、は図５、の上部に磁石の寸方より小さい穴を空けた革を１枚接着する。図７、は図６、を肌に優しい柔らかい丈夫な布に包み接着する。図８、は図７、の底辺に布を１枚接着したのち、図１、の本体の処定の位置に接着する。
【請求項２】
プリント加工を使用する場合は図３、の穴の無い革２枚か３枚重ねた位の厚さのものの上部にプリント加工したものを接着するか又は縫い込みをする。図８、図３、の底辺に布を１枚接着したのち、図１、の本体の処定の位置に接着又は縫い込む。図９、本体前部この部分切り抜く。図１０、本体後部この部分切り離す。図１１、本体を支える腰バンド。図１２、マジックテープ（イ）（ロ）（ハ）（ニ）。このような構造のため、磁石、又はプリント加工したものを痔の患部に装着することにより、周囲の血行を良くして筋肉のコリをほぐしてくれるので、痛みや苦しみを柔らげると同時に楽に正座も立居振る舞いや歩行時にも、又激しい運動時にも磁石、又はプリント加工が患部に密着しているので違和感を覚えることもなく。その効果は大なるものとなります。
【発明の詳細な説明】
【枝術分野】
【００７０】  この発明は痔痛で悩み苦しんでいる人々に手軽るに患部に装着出来るため、患部の周囲の血行を良くして筋肉のコリをほぐしてくれます、尚ほ腰バンドにて押えの力を活用出来ますので、大いなる効果を上げることが出来ます。
尚ほ図３、の永久磁石、又はチタン、ゲルマニューム、ケイ素などのプリント加工したものを使用致しまして、多方面に利用出来るように考慮致しまして、再提出致します、以下磁石、又はプリント加工と称します。
【背景技術】
【００７１】  図１、本体に使用致します生地は、肌に優しい柔らかく温かく長期間に渡って装着していても、肌が変質することのない強靭な生地を使用致します。尚ほ患部に当てる磁石、又はプリント加工を使用致します。
【発明の開示】
【発明が解決しようとする課題】
【００７２】  本発明は本体に磁石、又はプリント加工を接着して痔痛の患部に当て装着することにより、周囲の血行を良くして筋肉のコリをほぐします、尚ほ腰バンドにて押えの力を活用致しますので、大いなる効果を上げることが出来ます。図１、の磁石、又はプリント加工の配置は正座しているときも歩行時や激しい運動時にも磁石、又はプリント加工が患部に密着出来るように考慮したものである、その効果の大なるを開発しようとするものである。
【課題を解決するための手段】
【００７３】  いまその課題を図面に追いながら説明すれば。
図１、本体正面図、本体に使用致します生地は、肌に優しく柔らかく温かく長期間に渡って装着していても、肌が変質することのない強靭な生地を使用し図１、の如く抜き取ります。図２、磁石、又はプリント加工。図３、革に複数の穴を空ける、但しプリント加工を使用する場合穴を空ける必要はない。
【請求項１】
磁石を使用する場合、図４、は図３、の穴を空けた革に磁石を接着する。図５、は図４、の磁石を接着した底辺に革を１枚装着する。図６、は図５、の上部に磁石の寸方より少し小さい穴を空けた革を１枚接着する。図７、図６、を肌に優しい柔らかな温い丈夫な布に包み接着する。図８、図７、の底辺に布を１枚接着したのち本体図１、の処定の位置に接着する。
【請求項２】
プリント加工を使用する場合、図３、の穴の無い革２枚か３枚位の厚さのものの上部にプリント加工したものを接着又は縫い込む、患部が微妙なところなので、図７、の肌に優しい柔らかな温かい丈夫な布に包み接着又は縫い込む、図８、は図７、の底辺に布を１枚接着したのち。図１、の本体の処定の位置に接着する。図９、は本体前部この部分切抜く、図１０、本体後部この部分切り離す、図１１、本体を支える腰バンド。図１２、マジックテープ（イ）（ロ）（ハ）（ニ）。このような構造のため、磁石、又はプリント加工したものを痔の患部に当てることにより、周囲の血行を良くして筋肉のコリをほぐしてくれるので、痔の痛みや苦しみを柔らげると同時に楽に正座も立居振る舞いや歩行時にも、又激しい運動時にも磁石、又はプリント加工が患部に密着しているので違和感を覚えることもなく。その効果は大なるものとなります。
【発明の効果】
【００７４】  本発明は以上のような構造であるから、これを使用装着することにより、磁石、又はプリント加工により、痔痛の患部の周囲の血行を良くして筋肉のコリをほぐしてくれるので、苦しみを柔らげると同時に正座しているときも歩行時にも、磁石、又はプリント加工が患部に密着しているので、激しい運動時にも違和感を覚えることもなく、その効果は大なるものとなります。
【発明を実施するための最良の型態】
【００７５】  本発明の実施の型態について説明する。
図１、本体正面図、本体に使用する生地は、肌に優しく柔らかく温かく長期間に渡って装着していても、肌が変質することもない強靭な生地を使用致します、図１、の如く抜き取ります。図２、磁石、又はプリント加工。図３、革に複数の穴を空ける、但しプリント加工を使用する場合穴を空ける必要はない。
【請求項１】
磁石を使用する場合。図４、は図３、の穴を空けた革に磁石を接着する。図５、は図４、の磁石を接着した、底辺に革を１枚接着する。図６、は図５、の上部に磁石の寸方よりやや小さい穴を空けた革を１枚接着する。図７、は図６、を肌に優しい柔らかな温く丈夫な布で包み接着する。図８、は図７、の底辺に布を、１枚接着したのち、図１、の本体の処定の位置に接着する。
【請求項２】
プリント加工を使用する場合。図３、の穴の無い革２枚か３枚位の厚さのもの上部にプリント加工したものを接着又は縫い込むが、患部が微妙なところなので、図７、の肌に優しく柔らかな温かい丈夫な布で包み接着又は縫い込む。図８、は図７、の底辺に布を１枚接着又は縫い込んだのち。図１、の本体の処定の位置に接着又は縫い込ものとする。
図９、は本体前部この部分切り抜く。図１０、本体後部切り離す。図１１、本体を支える腰バンド。図１２、マジックテープ（イ）（ロ）（ハ）（ニ）。このような構造のため、磁石、又はプリント加工したものを痔痛の患部に当てることにより、周囲の血行を良くして筋肉のコリをほぐしてくれるので、痛みや苦しみを柔らげると同時に楽に正座も立居振る舞いや、歩行時にも、又激しい運動時にも磁石、又はプリント加工が患部に密着しているので違和感を覚えることもなく。その効果は大なるものとなります。
【実施例１】
【００７６】  図１、本体に使用致します生地は、肌に優しく柔らかく温かく長期間に渡って装着していても、肌が変質することのない強靭な生地を使用致します、磁石、又はプリント加工の配置は、正座しているときも歩行時や激しい運動時にも、磁石、又はプリント加工が患部に密着出来るように考案したもので、これを患部に装着することに於て、周囲の血行を良くし筋肉のコリをほぐしてくれますので、違和感を覚えることもないのです。
【図面の簡単な説明】
【００７７】
【請求項１】
磁石使用の場合。
【図１】
本体正面図。
【図２】
磁石。
【図３】
革に複数の穴を空ける。
【図４】
は図３、の穴を空けた革に磁石を接着する。
【図５】
は図４、の磁石を接着した、底辺に革を１枚接着する。
【図６】
は図５、の上部に磁石の寸方よりやや小さな穴を空けた革を１枚接着する。
【図７】
は図６、肌に優しい柔らかな温く丈夫な布で包み接着する。
【図８】
は図７、の底辺に布を１枚接着したのち、図１、の本体の処定の位置に接着する。
【請求項２】
プリント加工使用の場合。
【図１】
本体正面図。
【図２】
プリント加工。
【図３】
穴の無い革２枚乃至３枚位の厚さの革の上部にプリント加工したものを接着又は縫い込むが患部が微妙なところなので、
【図７】
は図３、を肌に優しい柔らかい丈夫な布で包み接着又は縫い込む
【図８】
は図７、の底辺に布を１枚接着したのち。図１、の本体の処定の位置に接着又は縫い込む。
【図９】
は本体前部この部分切り抜く。
【図１０】
は本体後部この部分切り離す。
【図１１】
本体を支える腰バンド。
【図１２】
マジックテープ（イ）（ロ）（ハ）（ニ）。（ホ）
【符号の説明】
【００７８】
【請求項１】
磁石使用の場合。
１  本体正面図。
２  磁石。
３  革に複数の穴を空ける。
４  は図３、の穴を空けた革に磁石を接着する。
５  は図４、の磁石を接着した、底辺に革を１枚接着する。
６  は図５、の上部に磁石の寸方よりやや小さい穴を空けた革を１枚接着する。
７  は図６、を肌に優しい柔らかな温く丈夫な布で包み接着する。
８  は図７、の底辺に布を１枚接着したのち、図１、の本体の処定の位置に接着する。
【請求項２】
プリント加工使用の場合。
１  本体正面図。
２  プリント加工。
３  穴の無い革２枚乃至３枚位の厚さの革の上部にプリント加工したものを接着又は縫い込む患部が微妙なところなので、
７  は図３、を肌に優しい柔らかい丈夫な布で包み接着又は縫い込む
８  は図７、の底辺に布を１枚接着したのち。図１、の本体の処定の位置に接着又は縫い込む。
９  は本体前部この部分切り抜く。
１０  は本体後部この部分切り離す。
１１  本体を支える腰バンド。
１２  マジックテープ（イ）（ロ）（ハ）（ニ）。（ホ）
【図１】
2008018220.tif 000003
【図２】
2008018220.tif 000004
【図３】
2008018220.tif 000005
【図４】
2008018220.tif 000006
【図５】
2008018220.tif 000007
【図６】
2008018220.tif 000008
【図７】
2008018220.tif 000009
【図８】
2008018220.tif 000010
【図９】
2008018220.tif 000011
【図１０】
2008018220.tif 000012
【図１１】
2008018220.tif 000013
【図１２】
2008018220.tif 000014
【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
磁石痔痛治療器具。出願番号２００５−１１１２３６。出願人５００２１５６３２。平成１５年１０月１０日付にて提出致しましたが、本体に使用致します生地名。特殊加工ゴム市販名ユーカスと称します、と各部署に数字を記入してありますので。生地名を変えたり各部署の数字を少し変えるだけで真似をされるので不可との決論に達しました。誠に大変なお手数相掛け誠に申訳ご座いませんが、出願番号２００５−１１１３２６。全文全項目削除して下さるようにお願い申し上げる次第にご座います。尚ほ図２、の永久磁石、又はチタン、ゲルマニユーム、ケイ素などのプリント加工をしたものを使用致しまして、多方面に利用出来るように考慮致しまして、再提出致します。以下磁石、又はプリント加工と称します。図１、本体に使用致します生地は、肌に優しく温かく長期間に度って装着していても、肌が変質することのない丈夫な生地を使用致します。
図１、の如く抜き取ります。図２、磁石、又はプリント加工。図３、革に複数の穴を空ける但しプリント加工を使用する場合は穴を空ける必要はない。
【請求項２】
磁石使用の場合。図４、は図３、の穴を空けた革に磁石を接着する。図５、は図４、の磁石を接着した底辺に更らに革を１枚接着する。図６、は図５、の上部に磁石の寸方より小さい穴を空けた革を１枚接着する。図７、は図６、を肌に優しい柔らかい丈夫な布に包み接着する。図８、は図７、の底辺に布を１枚接着したのち、図１、の本体の処定の位置に接着する。
図９、本体前部この部分切り抜く。図１０、本体後部この部分切り離す。図１１．本体を支える腰バンド。ず１２、マジックテープ（イ）（ロ）（ハ）（ニ）（ホ）。このような構造のため磁石、又はプリント加工したものを痔の患部に接着することにより。痔痛や痔瘻や脱肛の周囲の血行を良くして、筋肉のコリをほぐしてくれるので、痛みや苦しみを柔らげると同時に楽に正座も立居振る舞いや歩行時にも、又激しい運動時にも磁石や又はプリント加工が患部に密着しているので違和感を覚えることもなく。その効果は大なるものとなります。
【請求項３】
プリント加工を使用する場合。
図３、の穴を空けない革２枚乃至３枚重ねた位の厚さのものの上部にプリント加工をしたものを接着するか、又は縫い込みをする。以下磁石使用工程と同じです。
【手続補正２】
【補正対象書類名】明細書
【補正対象項目名】００７７
【補正方法】変更
【補正の内容】
【００７７】
【図１】本体正面図。
【図２】磁石、又はプリント加工。
【図３】革に複数の穴を空ける。但しプリント加工を使用する場合は穴を空ける必要はない。  磁石を使用する場合。
【図４】は図３、の穴を空けた革に磁石を接着する。
【図５】は図４、の磁石を接着した底辺に革を１枚接着する。
【図６】は図５、の上部に磁石の寸法よりやや小さな穴を空けた革を１枚接着する。
【図７】は図６、を肌に優しい柔らかな温く丈夫な布で包み接着する。
【図８】は図７、の底辺に布を１枚接着したのち、図１、の本体の処定の位置に接着する。
【図９】本体前部この部分切り抜く。
【図１０】本体後部この部分切り離す。
【図１１】本体を支える腰バンド。
【図１２】マジックテープ（イ）（ロ）（ハ）（ニ）（ホ）。  プリント加工を使用する場合。［図３］の穴を空けない革２枚乃至３枚重ねた位の厚さのものの上部にプリント加工をしたものを接着するか、又は縫い込みをする。以下、請求項２、の磁石使用の場合の図６、の工程を除き、同工程です。